(57)【要約】      （修正有）【課題】販売業者側および消費者側の端末のユーザの身分認証を実現する電子ラベル認証方法、電子ラベル認証システム、電子ラベル認証装置および電子ラベルを提供する。【解決手段】電子ラベルの認証方法は、第１端末が製品の二次元コードを生成し、二次元コードを第２端末に発送し、かつ、二次元コードを製品の電子ラベル中に組み込ませることを含む。第２端末は、電子ラベル中の二次元コードを読み取って、第１端末から発送される二次元コードで電子ラベルに対する認証を行い、認証に通過すれば、第２端末はアクティブコメントを電子ラベルに発送して、電子ラベルはアクティブコメントによって色を変える。ここで二次元コードの生成には第１端末および第２端末のユーザのバイオ情報が関与する。【効果】端末ユーザーの身分認証を実現することができると共に、より直観的な認証結果を示すことができる。【選択図】図１
2016072976.tif 000002
【特許請求の範囲】
【請求項１】
第１端末が製品の二次元コードを生成し、二次元コードを第２端末に発送して、二次元コードを製品の電子ラベル中に組み込ませ（Ｓ１１）、
第２端末が電子ラベル中の二次元コードを読み取り、第１端末から発送される二次元コードで電子ラベルに対する認証を行い（Ｓ１２）、
認証に通過すれば、第２端末は電子ラベルにアクティブコメントを発送し（Ｓ１３）、
アクティブコメントによって電子ラベルの色を変える（Ｓ１４）、
ことが含まれることを特徴とする電子ラベル認証方法。
【請求項２】
前記第１端末によって生成される製品の二次元コードには、
前記第１端末により第２ユーザーの識別情報と前記製品の情報によって製品の二次元コードを生成し、前記第２ユーザーと前記第２端末はお互いに対応する、
ことを特徴とする請求項１に記載の電子ラベル認証方法。
【請求項３】
前記ステップＳ１１の前において、
前記第１端末は、前記第２ユーザーのバイオ情報を得て、前記第２ユーザーのバイオ情報によって第１秘密鍵を生成し、前記第２端末は、第１ユーザーのバイオ情報を得て、前記第１ユーザーのバイオ情報によって第２秘密鍵を生成し、前記第１ユーザーと前記第１端末はお互いに対応し、且つ前記第１秘密鍵と前記第２秘密鍵はお互いに対応する（Ｓ１０）ことが含まれ、
前記第１端末は、第２ユーザーの識別情報と前記製品の情報によって製品の二次元コードを生成し、当該二次元コードには、前記第１端末により前記第１秘密鍵と前記製品の情報によって生成する製品の二次元コードも含まれ、
前記ステップＳ１２には、前記第２端末が前記電子ラベル中の二次元コードを読み取って、前記二次元コードによって前記製品の情報と前記第１秘密鍵を得てから、前記第２秘密鍵で前記第１秘密鍵に対する認証行うことが含まれる、
ことを特徴とする請求項２に記載の電子ラベル認証方法。
【請求項４】
第１端末、第２端末および電子ラベルを含む電子ラベル認証システムであって、
前記第１端末は、製品の二次元コード生成に使われ、前記二次元コードを第２端末に発送し、前記二次元コードを前記電子ラベル中に組み込ませ、
前記第２端末は、前記電子ラベル中の二次元コードの読み取りに使われ、前記第１端末が発送した二次元コードで前記電子ラベルに対する認証を行い、認証に通過すれば、アクティブコメントを前記電子ラベルに発送し、
前記電子ラベルは、前記アクティブコメントによる色を変える用途に使われる、
ことを特徴とする電子ラベル認証システム。
【請求項５】
前記第１端末は、第２ユーザーの識別情報と製品の情報によって製品の二次元コードを生成する用途に使われ、前記第２ユーザーと前記第２端末はお互いに対応する、
ことを特徴とする請求項４に記載の電子ラベル認証システム。
【請求項６】
前記第１端末は、前記第２ユーザーのバイオ情報獲得に使われ、前記第２ユーザーのバイオ情報によって第１秘密鍵を生成し、前記第１秘密鍵と製品の情報によって製品の二次元コードを生成し、
前記第２端末は、第１ユーザーのバイオ情報獲得に使われ、前記第１ユーザーのバイオ情報によって第２秘密鍵を生成し、前記二次元コードによって前記製品の情報と前記第１秘密鍵を得てから、前記第２秘密鍵で前記第１秘密鍵に対する認証を行い、
前記第１ユーザーと前記第１端末はお互いに対応し、且つ前記第１秘密鍵と前記第２秘密鍵はお互いに対応する、
ことを特徴とする請求項５に記載の電子ラベル認証システム。
【請求項７】
第１端末から発送される二次元コードを得て、それを保存し（Ｓ２１）、
製品の電子ラベル中の二次元コードを読み取って保存された二次元コードで前記電子ラベルの二次元コードに対する認証を行い（Ｓ２２）、
認証に通過すれば、アクティブコメントを前記電子ラベルに発送して、前記アクティブコメントによって前記電子ラベルの色を変える（Ｓ２３）
ことが含まれることを特徴とする電子ラベル認証方法。
【請求項８】
前記ステップＳ２１の前において、
第１ユーザーのバイオ情報を得て、第１ユーザーのバイオ情報によって第２秘密鍵を生成し（Ｓ２０）、
前記ステップＳ２２には、前記電子ラベル中の二次元コードを読み取って、前記二次元コードによって前記製品の情報と前記第１秘密鍵を得てから、前記第２秘密鍵で前記第１秘密鍵に対する認証を行い、前記二次元コードは、前記第１端末により前記製品の情報と前記第１秘密鍵によって生成され、前記第１秘密鍵は、前記第１端末により前記第２ユーザーのバイオ情報によって生成されることが含まれ、
前記第１ユーザーと前記第１端末はお互いに対応し、前記第１秘密鍵と前記第２秘密鍵はお互いに対応する、
ことを特徴とする請求項７に記載の電子ラベル認証方法。
【請求項９】
第１端末から発送される二次元コードを読み取り、前記二次元コードを保存する用途に使われる二次元コード獲得ユニットと、
製品の電子ラベル中の二次元コードを読み取る用途に使われる読み取りユニットと、
保存された前記二次元コードで前記電子ラベルの二次元コードに対する認証を行う用途に使われる認証ユニットと、
認証に通過すれば、前記電子ラベルにアクティブコメントを発送して、前記アクティブコメントによって前記電子ラベルの色を変える用途に使われるアクティブコメントの発送ユニットと、
が含まれることを特徴とする電子ラベル認証装置。
【請求項１０】
第１ユーザーのバイオ情報を得て、前記第１ユーザーのバイオ情報によって第２秘密鍵を生成する用途に使われるバイオ情報獲得ユニットと、
前記二次元コードによって前記製品の情報と前記第１秘密鍵を得た後、前記第２秘密鍵によって前記第１秘密鍵に対する認証を行う用途に使われる認証ユニットと、
も含まれ、
前記二次元コードは、前記第１端末により前記製品の情報と前記第１秘密鍵によって生成され、前記第１秘密鍵は、第１端末により前記第２ユーザーのバイオ情報によって生成され、前記第１ユーザーと前記第１端末はお互いに対応し、前記第１秘密鍵と前記第２秘密鍵はお互いに対応する、
ことを特徴とする請求項９に記載の電子ラベル認証装置。
【請求項１１】
制御チップ、変換ユニット、ディスプレイユニットおよびバッテリを含む電子ラベルであって、
前記制御チップは、第１端末から発送されるアクティブコメントを接収し、前記アクティブコメントによって変換コメントを前記変換ユニットへ発送するのに使われ、
前記変換ユニットは、前記変換コメントによる色の変換に使われ、
前記ディスプレイユニットは、前記電子ラベルの色のディスプレイに使われ、
前記バッテリは、前記制御チップ、前記変換ユニットおよび前記ディスプレイユニットへの給電に使われる、
ことを特徴とする電子ラベル。
【請求項１２】
前記制御チップは、１回目に接収する前記アクティブコメントであるかどうかの判断に使われ、そうである場合には、前記変換コメントを前記変換ユニットに発送し、そうでない場合には、前記変換コメントを前記変換ユニットに発送しない、
ことを特徴とする請求項１１に記載の電子ラベル。
【発明の詳細な説明】
【技術分野】
【０００１】
本発明は、認証技術に関するもので、特に、電子ラベル認証方法、電子ラベル認証システム、電子ラベル認証装置および電子ラベルに関する。
【背景技術】
【０００２】
既存のラベル認証技術は、通常、メーカーが製品を製造する時に、権威機構の委任によって製品の二次元コードを製品のラベルに入れて、消費者が製品を買う時に関連ソフトウェアを使って、二次元コードを読み取って検証を行っている。しかし、オンラインショッピングの発展につれ、販売業者と消費者とのフェース・トゥー・フェースの商品取引ができず、オンライン上で合意された後、物流業者が貨物の輸送を行っている。そのため、消費者は届いた製品が自分の指定したメーカーが発送したものであることを確認する必要があり、販売業者も荷受人が本当の買い手であることを確認する必要がある。ところが、既存ラベル認証技術では、これらの問題が解決できない。
【発明の概要】
【発明が解決しようとする課題】
【０００３】
本発明の目的は、両端末のユーザーの身分認証を実現する電子ラベル認証方法、電子ラベル認証システム、電子ラベル認証装置および電子ラベルを提供することである。
【課題を解決するための手段】
【０００４】
上記目的を実現するために本発明の実施例１では、以下の電子ラベル認証方法を提供する。
【０００５】
第１端末が製品の二次元コードを生成し、二次元コードを第２端末に発送して、二次元コードを製品の電子ラベル中に組み込ませる（Ｓ１１）。
【０００６】
第２端末が電子ラベル中の二次元コードを読み取り、第１端末から発送される二次元コードで電子ラベルに対する認証を行う（Ｓ１２）。
【０００７】
認証に通過すれば、第２端末は電子ラベルにアクティブコメントを発送する（Ｓ１３）。
【０００８】
アクティブコメントによって電子ラベルの色を変える（Ｓ１４）。
【０００９】
本発明の実施例１の第１種の可能な実現方式において、第１端末によって生成される二次元コードには、以下が含まれる。
【００１０】
第１端末は、第２ユーザーの識別情報と製品の情報によって製品の二次元コードを生成するが、第２ユーザーと第２端末はお互いに対応する。
【００１１】
本発明の実施例１の第１種の可能な実現方式に合わせて、本発明の実施例１の第２種の可能な実現方式において、ステップＳ１１の前には、以下の方法も含まれる。
【００１２】
第１端末は、第２ユーザーのバイオ情報を得て、第２ユーザーのバイオ情報によって第１秘密鍵を生成し、第２端末は、第１ユーザーのバイオ情報を得て、第１ユーザーのバイオ情報によって第２秘密鍵を生成し、第１ユーザーと第１端末はお互いに対応し、且つ第１秘密鍵と第２秘密鍵はお互いに対応する（Ｓ１０）。
【００１３】
第１端末は、第２ユーザーの識別情報と製品の情報によって製品の二次元コードを生成する。二次元コードの中には、第１端末により第１秘密鍵と製品の情報によって生成する製品の二次元コードも含まれる。
【００１４】
ステップＳ１２には、第２端末が電子ラベル中の二次元コードを読み取って、二次元コードによって製品の情報と第１秘密鍵を得てから、第２秘密鍵で第１秘密鍵に対する認証行うことが含まれる。
【００１５】
本発明の実施例２では、電子ラベル認証システムを提供する。この電子ラベル認証システムには、第１端末、第２端末と電子ラベルが含まれる。
【００１６】
第１端末は、製品の二次元コード生成に使われ、二次元コードを第２端末に発送し、二次元コードを電子ラベル中に組み込ませる。
【００１７】
第２端末は、電子ラベル中の二次元コードを読み取りに使われ、第１端末が発送した二次元コードで電子ラベルに対する認証を行い、認証に通過すれば、アクティブコメントを電子ラベルに発送する。
【００１８】
電子ラベルは、アクティブコメントによる色を変える。
【００１９】
本発明の実施例２の第１種の可能な実現方式において、第１端末は、第２ユーザーの識別情報と製品の情報によって製品の二次元コードを生成する用途に使われ、第２ユーザーと第２端末はお互いに対応する。
【００２０】
本発明の実施例２の第１種の可能な実現方式に合わせて、本発明の実施例２の第２種の可能な実現方式において、第１端末は、第２ユーザーのバイオ情報を獲得し、第２ユーザーのバイオ情報によって第１秘密鍵を生成し、第１秘密鍵と製品の情報によって製品の二次元コードを生成する。
【００２１】
第２端末は、第１ユーザーのバイオ情報を獲得し、第１ユーザーのバイオ情報によって第２秘密鍵を生成し、二次元コードによって製品の情報と第１秘密鍵を得てから、第２秘密鍵で第１秘密鍵に対する認証を行う。
【００２２】
第１ユーザーと第１端末はお互いに対応し、且つ、第１秘密鍵と第２秘密鍵はお互いに対応する。
【００２３】
本発明の実施例３では、電子ラベル認証方法を提供する。電子ラベル認証方法には、以下のステップが含まれる。
【００２４】
第１端末から発送される二次元コードを得て、それを保存する（Ｓ２１）。
【００２５】
製品の電子ラベル中の二次元コードを読み取って保存された二次元コードで電子ラベルの二次元コードに対する認証を行う（Ｓ２２）。
【００２６】
認証に通過すれば、アクティブコメントを電子ラベルに発送して、アクティブコメントによって電子ラベルの色を変える（Ｓ２３）。
【００２７】
本発明の実施例３の第１種の可能な実現方式において、ステップＳ２１の前には、以下のステップも含まれる。
【００２８】
第１ユーザーのバイオ情報を得て、第１ユーザーのバイオ情報によって第２秘密鍵を生成する（Ｓ２０）。
【００２９】
また、ステップＳ２２には、電子ラベル中の二次元コードを読み取って、二次元コードによって製品の情報と第１秘密鍵を得てから、第２秘密鍵で第１秘密鍵に対する認証を行う。二次元コードは、第１端末により製品の情報と第１秘密鍵によって生成され、第１秘密鍵は、第１端末により第２ユーザーのバイオ情報によって生成されることが含まれる。
【００３０】
第１ユーザーと第１端末はお互いに対応し、第１秘密鍵と第２秘密鍵はお互いに対応する。
【００３１】
本発明の実施例４では、電子ラベル認証装置を提供する。電子ラベル認証装置には、以下のユニットが含まれる。
【００３２】
第１端末から発送される二次元コードを読み取り、それを保存する用途に使われる二次元コード獲得ユニット。
【００３３】
製品の電子ラベル中の二次元コードを読み取る用途に使われる読み取りユニット。
【００３４】
保存された二次元コードで電子ラベルの二次元コードに対する認証を行う用途に使われる認証ユニット。
【００３５】
認証に通過すれば、電子ラベルにアクティブコメントを発送して、アクティブコメントによって電子ラベルの色を変える用途に使われるアクティブコメントの発送ユニット。
【００３６】
本発明の実施例４の第１種の実現可能な方式において、電子ラベル認証装置には、以下のユニットも含まれる。
【００３７】
第１ユーザーのバイオ情報を得て、第１ユーザーのバイオ情報によって第２秘密鍵を生成する用途に使われるバイオ情報獲得ユニット。
【００３８】
二次元コードによって製品の情報と第１秘密鍵を得た後、第２秘密鍵によって第１秘密鍵に対する認証を行う用途に使われる認証ユニット。
【００３９】
二次元コードは、第１端末により製品の情報と第１秘密鍵によって生成され、第１秘密鍵は、第１端末により第２ユーザーのバイオ情報によって生成され、第１ユーザーと第１端末はお互いに対応し、第１秘密鍵と第２秘密鍵はお互いに対応する。
【００４０】
本発明の実施例５では、電子ラベルを提供する。電子ラベルには、制御チップ、変換ユニット、ディスプレイユニットおよびバッテリが含まれる。
【００４１】
制御チップは、第１端末から発送されるアクティブコメントを接収し、アクティブコメントによって変換コメントを変換ユニットへ発送するのに使われる。
【００４２】
変換ユニットは、変換コメントによる色の変換に使われる。
【００４３】
ディスプレイユニットは、電子ラベルの色のディスプレイに使われる。
【００４４】
バッテリは、制御チップ、変換ユニットおよびディスプレイユニットへの給電に使われる。
【００４５】
本発明の実施例５の第１種の可能な実現方式において、制御チップは、１回目に接収するアクティブコメントであるかどうかの判断に使われ、そうである場合には、変換コメントを変換ユニットに発送し、そうでない場合には、変換コメントを変換ユニットに発送しない。
【発明の効果】
【００４６】
本発明において、第１端末は、生成された製品の二次元コードを第２端末に発送し、かつ、製品の電子ラベル中に組み込ませ、第２端末が製品の電子ラベル中の二次元コードを読み取れるようにして、予め保存された二次元コードによって認証を行うことができる。これによって、第２端末のユーザーでない、又は製品が第１端末のユーザーのものでない場合には、第２端末中の二次元コードが正しくない、又は製品の電子ラベル中の二次元コードが正しくなくなり、これによって認証ができなくなり、さらに電子ラベルも色の変換ができなくなる。これから見れば、既存技術に比べて、本発明は両端末のユーザーに対する身分認証もできる。
【図面の簡単な説明】
【００４７】
【図１】本発明の実施例１の方法を示すフローチャート
【図２】本発明の実施例２の電子ラベル構造図
【図３】本発明の実施例３のシステム構造図
【図４】本発明の実施例５の装置構造図
【発明を実施するための形態】
【００４８】
本発明の実施例の目的、技術手段およびメリットをよりはっきりとさせるために、次では、本発明の実施例中の添付図に合わせて、本発明の実施例中の技術手段に対して、よりはっきり且つ全面的な説明をするものとするが、説明された実施例は本発明の一部の実施例で、全部の実施例ではない。本発明の実施例に基づき、本分野の一般技術者なら、独創的な努力をしなくても全てのその他の実施例を得ることができ、これらはいずれも本発明の保護範囲に属する。
【００４９】
本発明の核心は、第１端末が製品の二次元コードを生成した後、第２端末に発送し、かつ、製品の電子ラベル中に組み込ませる。第２ユーザーが製品を受領した後、第２端末を用いて製品電子ラベル中の二次元コードを得て、予め保存した二次元コードによって認証を行う。認証に通過すれば、第２端末はコメントを発送して電子ラベルをアクティブにし、それを変色させる。
【００５０】
上記プロセスは多くの場合に使われる。販売業者と消費者を例に挙げると、販売業者と消費者が購買契約に合意した後、販売業者は自分の第１端末によって商品の二次元コードを生成して、消費者の第２端末に発送し、かつ、それを商品の電子ラベル中に組み込ませてから、物流業者を通じて商品を消費者の所まで託送する。消費者が商品を受領した後、第２端末を利用してその電子ラベル中の二次元コードを得て、第１端末から発送される二次元コードによって認証を行う。認証に通過すれば、第２端末はコメントを発送して電子ラベルをアクティブにして、それを変色させる。これによって、消費者が不法ユーザー、つまり、本当の買い手でなければ、第２端末中の二次元コードは偽物で、電子ラベル中の二次元コードとマッチングできなくなる。同様に、販売業者が消費者の指定する販売業者でない場合、電子ラベル中の二次元コードは偽物で、第２端末中の二次元コードとマッチングできなくなる。勿論、電子ラベルもアクティブにできず、変色もできない。このように、上記プロセスによれば、販売業者と消費者の身分認証を行うことができる。これは、当面のオンラインショッピングが盛んである情況において、取引の安全性を大きく向上させる。しかも、電子ラベルの変色方式は認証結果をより直感的に表示させる。
【００５１】
図１は、本発明の実施例１によって提供される電子ラベル認証方法の具体的なステップであるが、その中には以下が含まれる。
【００５２】
第１端末が製品の二次元コードを生成し、二次元コードを第２端末に発送して、二次元コードを製品の電子ラベル中に組み込ませる（Ｓ１１）。具体的には、第１端末は、第２ユーザーの識別情報と製品の情報によって製品の二次元コードを生成し、上記の通り、第２ユーザーと第２端末はお互いに対応する。
【００５３】
この方法が販売業者と消費者との間で使われる場合、第１端末はさらに購買情報および販売業者自身の情報を結合して二次元コードを生成することもできる。
【００５４】
第２端末が電子ラベル中の二次元コードを読み取り、第１端末から発送された二次元コードで電子ラベルに対する認証を行う（Ｓ１２）。
【００５５】
認証に通過すれば、第２端末は電子ラベルにアクティブコメントを発送する（Ｓ１３）。
【００５６】
アクティブコメントによって電子ラベルの色を変える（Ｓ１４）。
【００５７】
安全性をさらに向上させるために、ステップＳ１１の前に、当該方法には以下の内容も含まれる。
【００５８】
第１端末は、第２ユーザーのバイオ情報を得て、第２ユーザーのバイオ情報によって第１秘密鍵を生成し、第２端末は、第１ユーザーのバイオ情報を得て、第１ユーザーのバイオ情報によって第２秘密鍵を生成し、第１ユーザーと第１端末はお互いに対応し、且つ第１秘密鍵と第２秘密鍵はお互いに対応する（Ｓ１０）。
【００５９】
この時、ステップＳ１１を具体的に言うと、第１端末は、第１秘密鍵と製品の情報によって製品の二次元コードを生成し、二次元コードを第２端末に発送し、かつ、二次元コードを製品の電子ラベル中に組み込ませる。
【００６０】
この時、ステップＳ１２を具体的に言うと、第２端末は、電子ラベル中の二次元コードを読み取り、第１端末により得た二次元コードと第２秘密鍵で電子ラベル中の二次元コードに対する認証を行う。より具体的には、まず、第１端末により得た二次元コードで電子ラベル中の二次元コードに対する認証を行い、製品の情報と第１秘密鍵を得てから、第２秘密鍵で第１秘密鍵に対する認証を行う。
【００６１】
例えば、販売業者と消費者は、同一プラットホームを介して、各自の指紋など、お互いのバイオ情報を交換する。その後、販売業者の第１端末は得られたバイオ情報によって、秘密鍵の生成とマッチングを実現する。それから、販売業者は、商品情報、購買情報および消費者のバイオ情報により生成された秘密鍵によって、二次元コードを生成して、第２端末に発送し、かつ、電子ラベル中に組み込ませる。第２端末が電子ラベル中の二次元コードを読み取ると、予め得られた二次元コードによって認証を完了させてから、対応する商品情報、購買情報および秘密鍵を得ることになる。その後、第２端末は、自ら保存した販売業者のバイオ情報と対応する秘密鍵によって、電子ラベル中の秘密鍵に対するマッチングを行い、マッチングできれば、認証に通過することになり、第２端末は、アクティブコメントを電子ラベルに発送して、その色を変える。
【００６２】
図２は、本発明の実施例２によって提供される電子ラベルの構造図であるが、その中には、制御チップ１１、変換ユニット１２、ディスプレイユニット１３およびバッテリ１４が含まれる。
【００６３】
制御チップ１１は、第１端末から発送されるアクティブコメントを接収し、アクティブコメントによって変換コメントを変換ユニット１２に発送する用途に使われる。
【００６４】
変換ユニット１２は、変換コメントによって色を変える用途に使われる。
【００６５】
ディスプレイユニット１３は、電子ラベルの色を表示する用途に使われる。
【００６６】
バッテリ１４は、制御チップ１１、変換ユニット１２およびディスプレイユニット１３への給電に使われる。
【００６７】
本発明の実施例５の第１種の可能な実現方式において、制御チップ１１は、１回目に接収するアクティブコメントであるかどうかの判断に使われ、そうである場合には、変換コメントを変換ユニット１２に発送し、そうでない場合には、変換コメントを変換ユニット１２に発送しない。
【００６８】
バッテリ１４は、変色の電気量を維持することができる。
【００６９】
説明しておきたいことは、本発明中の電子ラベルは、１回のアクティブ後に効力を失い、変色できなくなるように設定することができる。具体的には、バッテリ１４の電気量を１回の変色だけ維持できるように設定することによって実現する。制御チップ１１が接収するアクティブコメントの回数を判断することによって、１回目である場合には、変換ユニット１２に変換コメントを発送し、そうでない場合は、変換ユニット１２に変換コメントを発送しない。
【００７０】
上記方法に対応し、本発明の実施例３では、電子ラベル認証システムも提供する。図３の通り、当該電子ラベル認証システムには、以下の装置が含まれる。
【００７１】
第１端末２１、第２端末２２および電子ラベル２３である。
【００７２】
第１端末２１は、製品の二次元コードを生成し、二次元コードを第２端末２２に発送し、かつ、二次元コードを電子ラベル２３中に組み込ませる用途に使われる。
【００７３】
第２端末２２は、電子ラベル２３中の二次元コードを読み取り、第１端末２１から発送される二次元コードで電子ラベル２３に対する認証を行い、認証に通過すれば、アクティブコメントを電子ラベル２３に発送する用途に使われる。
【００７４】
電子ラベル２３は、アクティブコメントによって色を変える用途に使われる。
【００７５】
取引の安全性をさらに向上させるために、第１端末２１は、第２ユーザーの識別情報と製品の情報によって製品の二次元コードを生成するが、第２ユーザーと第２端末はお互いに対応する。
【００７６】
上記識別情報は、第２ユーザーのバイオ情報によって生成される。
【００７７】
この時、第１端末２１は、第２ユーザーのバイオ情報を得て、第２ユーザーのバイオ情報によって第１秘密鍵を生成し、第１秘密鍵と製品の情報によって製品の二次元コードを生成する用途に使われる。
【００７８】
第２端末２２は、第１ユーザーのバイオ情報を得て、第１ユーザーのバイオ情報によって第２秘密鍵を生成しに、二次元コードによって製品の情報と第１秘密鍵を得てから、第２秘密鍵で第１秘密鍵に対する認証行う用途に使われる。
【００７９】
第１ユーザーと第１端末２１はお互いに対応し、且つ第１秘密鍵と第２秘密鍵は対応する。
【００８０】
説明しておきたいことは、お互いのバイオ情報を得る時に、本システムは独立のバイオ情報獲得装置を設置することができ、それを第１端末と第２端末に集中させることもできるが、本発明では、これに対し具体的な制限をしないものとする。
【００８１】
当該システムにおいて、電子ラベル２３の具体的な構造は図２の構造の通りである。
【００８２】
上記実施例に対し、本発明の実施例４は、電子ラベルの認証方法を提供して、上記第２端末中で使用するが、当該電子ラベルの認証方法には、以下のステップが含まれる。
【００８３】
第１端末から発送される二次元コードを得て、それを保存する（Ｓ２１）。
【００８４】
製品の電子ラベル中の二次元コードを読み取って保存された二次元コードで電子ラベルの二次元コードに対する認証を行う（Ｓ２２）。
【００８５】
認証に通過すれば、アクティブコメントを電子ラベルに発送して、アクティブコメントによって電子ラベルの色を変える（Ｓ２３）。
【００８６】
安全性をさらに向上させるために、当該方法のステップＳ２１の前には、以下のステップが含まれる。
【００８７】
第１ユーザーのバイオ情報を得てから、第１ユーザーのバイオ情報によって第２秘密鍵を生成する（Ｓ２０）。
【００８８】
この時、ステップＳ２２は具体的には、電子ラベル中の二次元コードを読み取って、二次元コードによって製品の情報と第１秘密鍵を得てから、第２秘密鍵で第１秘密鍵に対する認証を行う。二次元コードは、第１端末により製品の情報と第１秘密鍵によって生成され、第１秘密鍵は、第１端末により第２ユーザーのバイオ情報によって生成される。
【００８９】
実施例４の方法に対し、本発明の実施例５は、電子ラベル認証装置を提供する。図４の通り、当該電子ラベル認証装置には、以下のユニットが含まれる。
【００９０】
第１端末から発送される二次元コードを読み取り、それを保存する用途に使われる二次元コード獲得ユニット３１。
【００９１】
製品の電子ラベル中の二次元コードを読み取る用途に使われる読み取りユニット３２。
【００９２】
保存された二次元コードで電子ラベルの二次元コードに対する認証を行う用途に使われる認証ユニット３３。
【００９３】
認証に通過すれば、電子ラベルにアクティブコメントを発送して、アクティブコメントによって電子ラベルの色を変える用途に使われるアクティブコメントの発送ユニット３４。
【００９４】
好ましくは、当該電子ラベル認証装置には、以下のユニットも含まれる。
【００９５】
第１ユーザーのバイオ情報を得て、第１ユーザーのバイオ情報によって第２秘密鍵を生成する用途に使われるバイオ情報獲得ユニット３５。
【００９６】
この場合、認証ユニット３３は、二次元コードによって製品の情報と第１秘密鍵を得た後、第２秘密鍵で第１秘密鍵に対する認証を行う用途に使われる。
【００９７】
上記二次元コードは、第１端末により製品の情報と第１秘密鍵によって生成され、第１秘密鍵は、第１端末により第２ユーザーのバイオ情報によって生成され、第１ユーザーと第１端末はお互いに対応し、第１秘密鍵と第２秘密鍵はお互いに対応する。
【００９８】
第１端末は、具体的には、コンピューター、ノートＰＣまたはモバイル端末などのいずれかにすることができ、第２端末は、具体的には、コンピューター、ノートＰＣであり、好ましくは、携帯またはタブレットＰＣなどのモバイル端末にすることができる。第１端末と第２端末には、いずれも対応するアプリケーションがインストールされている。
【００９９】
本発明の実施例６において、第１端末と第２端末には、いずれも一つの実行装置と記憶装置が含まれる。記憶装置には、実行コードが記憶されており、実行装置は、記憶装置に記憶された実行コードによって対応する操作を行う。
【０１００】
上記電子ラベルの認証技術は、電子ラベル偽造防止の効果的な方法でもある。
【０１０１】
以上は、本発明の最良の実施方式である。また、本技術分野の一般技術者なら、本発明の原理を離れずに、幾つかの改進と修飾を行うことができるが、これらの改進と修飾はいずれも本発明の保護範囲に属するものである。
【図１】
2016072976.tif 000003
【図２】
2016072976.tif 000004
【図３】
2016072976.tif 000005
【図４】
2016072976.tif 000006